(57)【要約】【課題】  体裁がよく、足とのズレの発生を抑え、安定性に優れた貼着式サンダルを提供する。【解決手段】  本考案の貼着式サンダルは、左右の足型をそれぞれ含む一対の足型板と、各足型板の上面に固設された、使用者の体重の圧縮によって貼着力が発現する貼着層と、各足型板の周囲にて貼着層よりも上方へ膨出した枠部とを具備してなることを特徴とする。また、前記各対の貼着層が、使用者の体重によって弾性変形すると共に、圧縮荷重の減少によって弾性復帰し、この弾性復帰に従って貼着力が減失するものであって、前記貼着力の発現及び減失によって足裏へ着脱することで繰り返し使用しうることが好ましい。【選択図】  図１
0003123889.tif 000002
【実用新案登録請求の範囲】
【請求項１】
左右の足型をそれぞれ含む一対の足型板と、各足型板の上面に固設された、圧縮によって貼着力が発現する貼着層と、各足型板の周囲にて貼着層よりも上方へ膨出した枠部とを具備してなることを特徴とする貼着式サンダル。
【請求項２】
貼着層が、使用者の体重によって弾性変形すると共に、圧縮荷重の減少によって弾性復帰し、この弾性復帰に従って貼着力が減失するものであって、前記貼着力の発現及び減失によって足裏へ着脱しうる請求項１記載の貼着式サンダル。
【請求項３】
貼着層の周縁が、足型の形状に沿うと共に、枠部よりも内側にある請求項１または２記載の貼着式サンダル。
【請求項４】
各対の貼着層に対して貼着及び剥離可能なカバーフィルムを具備してなり、このカバーフィルムが、枠部の膨出頂を繋いだ形状を含む大きさのものである請求項１、２または３のいずれか記載の貼着式サンダル。
【請求項５】
各対の足型板の下面に固設された底板を具備してなり、この底板が、足型の幅方向に沿って伸通した複数の溝部を有する請求項１、２、３または４のいずれか記載の貼着式サンダル。
【請求項６】
枠部が、使用者の体重による荷重を緩衝する緩衝機能を有する請求項１、２、３、４または５のいずれか記載の貼着式サンダル。
【請求項７】
貼着層が光透過性を有し、足型板の板本体及び貼着層の間に、プリント板を介設してなり、プリント板の上面に模様或いは記述がプリント印字又は刻設されてなる請求項１、２、３、４または５のいずれか記載の貼着式サンダル。
【考案の詳細な説明】
【技術分野】
【０００１】
本考案は、足裏に貼着させて使用する貼着式サンダルに関するものである。特に、使用者の体重の圧縮によって貼着力が発現する圧着式のもの、或いは繰り返し使用してもある程度の貼着力を保持しうる貼着力保持性のものに関する。
【背景技術】
【０００２】
従来、人間の足跡形状に型取った台紙の裏側に接着剤を付着させた簡易スリッパが存在した（例えば、特許文献１参照）。これは使い捨てタイプの簡易スリッパであり、靴下の上から、あるいは素足の上から張り付ける。
【０００３】
また従来、足置き用のシート本体に、折畳み用の折曲線を設けると共に、この折曲線上に、剥離紙の一部を固着した状態で、粘着面を配設して簡易スリッパとしたものが存在した（例えば、特許文献２参照）。この簡易スリッパは、粘着面を足裏に付着させて使用し、使用後は、剥離紙を再び粘着面に付着させることで、際使用を可能としたものである。
【０００４】
また従来、スリッパ簡易代用品として、足形の対のシートに、粘着層と離型層を交互に形成したものが存在した（例えば、特許文献３参照）。これは、その対のシートを重ねた際、一方の粘着層を他方の離型層で被うものとし、この状態で持ち運ぶものである。また、重ねた面シートを剥がしてシート上に足を乗せ、粘着層でもって、シートを足に貼着して使用するものである。
【特許文献１】特開平２−２８０７０１号公報
【特許文献２】特開平１０−３１３９０１号公報
【特許文献３】特開平１１−３２８０２号公報
【考案の開示】
【考案が解決しようとする課題】
【０００５】
しかしながら、前記従来の簡易スリッパ等はいずれも、足への張り付け時には、一枚の台紙や足置き用のシートの上面に粘着面が形成されただけの形態となり、その上面に矩形の粘着部が露出した状態であったり、その周端部が切り放したままの状態であったりする。このため、質感に欠ける場合がある等、体裁が良いとはいえなかった。また、足への貼り付け時や歩行時に、足との位置のズレが発生する等、安定性に欠ける可能性がある。
【０００６】
そこで本考案は、体裁がよく、足とのズレの発生を抑え、安定性に優れた貼着式サンダルを提供することを課題とする。
【課題を解決するための手段】
【０００７】
前記課題を解決するため、下記（１）〜（１０）の手段を採用するものとしている。
【０００８】
（１）本考案の貼着式サンダルは、左右の足型をそれぞれ含む大きさの一対の足型板１と、
各足型板１の上面に固設された、使用者の体重の圧縮によって貼着力が発現する貼着層２と、
各足型板１の周囲にて貼着層２よりも上方へ膨出した枠部３とを具備してなることを特徴とする。
【０００９】
（２）また、前記貼着式サンダルにおいて、各対の貼着層２が、使用者の体重によって弾性変形すると共に、圧縮荷重の減少によって弾性復帰し、この弾性復帰に従って貼着力が減失するものであって、前記貼着力の発現及び減失によって足裏へ着脱することで繰り返し使用しうることが好ましい。
【００１０】
（３）また、前記いずれかの貼着式サンダルにおいて、各対の貼着層２の周縁が、足型の形状に沿うと共に、枠部３の上面端よりも内側にあることが好ましい。これにより、貼着層２の周縁よりも外側を覆ってなる。
【００１１】
（４）また、前記いずれかの貼着式サンダルにおいて、各対の貼着層２に対して貼着及び剥離可能なカバーフィルム５を具備してなり、このカバーフィルム５が、枠部３の膨出頂を繋いだ形状を含む大きさのものであることが好ましい。
【００１２】
カバーフィルム５の周縁が上方へ反ることで、剥がし易く、かつ確実に保護しうるものとなる。
【００１３】
（５）また、前記いずれかの貼着式サンダルにおいて、各対の足型板１の下面に固設された底板４を具備してなり、この底板４が、足型の幅方向に沿って伸通した複数の溝部４１を有することが好ましい。
【００１４】
（６）また、前記いずれかの貼着式サンダルにおいて、枠部３が、使用者の体重による荷重の偏りを緩衝する緩衝機能を有することが好ましい。
【００１５】
（７）また、前記いずれかの貼着式サンダルにおいて、各対の貼着層２が光透過性を有し、足型板１の板本体１１及び貼着層２の間に、プリント板１２を介設してなり、プリント板１２の上面に模様或いは記述がプリント印字又は刻設されてなることが好ましい。
【００１６】
すなわち、足型板１は、下層側の板本体１１と、その上面に固設された上層側のプリント板１２とから構成される。足型板１の上面に圧縮貼着層２が固設されることで、プリント板１２は、板本体１１の上面及び貼着層２の下面の間に介設される。また、プリント板１２の上面には、模様或いは記述がプリント印字又は刻設される。
【考案の効果】
【００１７】
上記手段の採用により、本考案の貼着式サンダルは、枠部３によって端部が覆われるため、体裁が良いものとなり、高級感を醸しうる。また、枠部３が足を包み込んでホールドすることで、貼着時或いは歩行時の、足と貼着式サンダルとのズレの発生を抑え、安定性に優れたものとなる。
【考案を実施するための最良の形態】
【００１８】
本考案の形態について、本考案の実施例として示す各図と共に説明する。図１は、本発明の実施例１の貼着式サンダルの斜視図であり、図２はその分解斜視図である。図３及び図４はそれぞれ、実施例１の貼着式サンダルの平面図及び底面図である。図５及び図６はそれぞれ、図３のＡ−Ａ断面図及びＡ−Ａ端面の右端付近の部分拡大図である。そして図７は、実施例１の貼着式サンダルの使用状態例である。
【００１９】
本考案の貼着式サンダルは、基本的に、左右の足型をそれぞれ含む大きさの一対の足型板１と、各足型板１の上面に固設された、使用者の体重の圧縮によって貼着力が発現する貼着層２と、各足型板１の周囲にて貼着層２よりも上方へ膨出あるいは隆起した枠部３とを具備してなる。また枠部３を供えた足型板１の下面に固設された底板４と、枠部３を供えた足型板１の上面に貼着及び剥離可能に設けられたカバーフィルム５とを具備する。以下、各構成に付き詳述する。
【００２０】
（足型板１）
足型板１は、足型を含む大きさの左右一対の板からなり、下層側にある厚手の板本体１１と、その上面に固設されて上層側にある薄いプリント板１２とから構成される。
【００２１】
（板本体１１）
板本体１１は、上面中央側を貼着層２に覆われ、周囲側面を枠部３に覆われ、この枠部３に覆われた状態で下面側を底板４に覆われる。周囲を囲われるため、用意に破断せず、かつ弾性機能を有することが好ましい。
【００２２】
（プリント板１２）
足型板１の上面に圧縮貼着層２が固設されることで、プリント板１２は、板本体１１の上面及び貼着層２の下面の間に介設される。また、プリント板１２の上面には、模様或いは記述がプリント印字又は刻設される。
【００２３】
（貼着層２）
貼着層２は、使用者の体重の圧縮によって貼着力が発現するものであって、各足型板１の上面に固設される。シリコン樹脂を配合することによって所定のタック力を得ることができる。
【００２４】
貼着層２の周縁が、足型の形状に沿うと共に、足型板１より一回り小さく、枠部３の上面端よりも内側にある。これにより、貼着層２の周縁よりも外側を覆ってなる。また貼着層２は、使用者の足裏面の平面視形状を全て含む大きさ及び形状である。
【００２５】
また、各対の貼着層２は、使用者の体重によって弾性変形すると共に、圧縮荷重の減少によって弾性復帰し、この弾性復帰に従って貼着力が減失するものであって、前記貼着力の発現及び減失によって足裏へ着脱することで繰り返し使用しうることが好ましい。
【００２６】
貼着層２は有色又は無色透明、或いは有色又は無色の半透明であって、光透過性を有する。この光透過性によって、貼着層２を介して、貼着層２下にあるプリント板１２上の模様や記述を認識しうる。
【００２７】
（枠部３）
足型板１の周縁に沿って、枠部３が形成される。この枠部３は非貼着部であり、貼着層２よりも外側に位置することで、貼着層２の周囲を囲う。足型板１の側面及び側面付近の上下面を覆い、枠固定手段３１によって足型板１に固定される。
【００２８】
しかして枠部３は、各足型板１の周囲にて貼着層２よりも上方へ膨出してなることを特徴とする。実施例では、足型板１の上面側に、貼着層２よりも厚い上方囲い枠を面接着すると共に、足型板１の下面側であって底板４との間に、下方囲枠を両面接着により介設することで、貼着層２よりも上方へ膨出した枠部３を形成している。
【００２９】
枠部３を膨出させることによって体裁が良いものとなる。また、貼着層２の周囲を囲うことで、貼着層２の圧縮変形による外周方向へのはみ出しを抑止しうる。すなわち、繰り返し使用可能な貼着式サンダルの使用時には、過大な集中荷重によって、貼着層２が破断したり、伸びて薄化したりする場合があった。これに対して、貼着層２の外縁より外側にて貼着層２の平面視外側を覆うように、且つ、貼着層２よりも上方へ膨出するように枠部３を形成した。これにより、貼着層２の外縁形状の歪を周囲から押さえ、枠部３の上面側の縁を超えて貼着層２がはみ出さないものとなる。
【００３０】
例えば本実施例のように、枠部３は足型板１の縁をくるむようにした厚手の布材からなるものとし、枠固定手段３１は、この厚手の布材を縫合する糸状の繊維からなるものとすることができる。
【００３１】
枠部３は、使用者の体重による荷重の偏りを緩衝する緩衝機能を有することが好ましい。この緩衝機能がクッションの役割を果たし、装着時の安定性を保つとともに、使用者の足が枠部３に接する場合にも、柔らかな装着感を得ることができる。
【００３２】
枠部３が布材からなる場合、二重以上に折り重ねられることで緩衝機能を具備することができる。実施例では足型板１の上面側が二重に折り重ねられ、この折り辺が足型板１の周囲の僅か内側に沿う。なお貼着層２の外縁は、前記折り辺よりも内側にて、折り辺に沿うものである。
【００３３】
（枠固定手段３１）
枠固定手段３１は、枠部３を足型板１へ固定するものであり、各種接着剤による接着、熱溶着等の任意の手段を用いることができる。実施例では図６の波線及び細線にて示すように、繊維からなる糸状の固定部材を、枠部３及び足型板１と共に厚さ方向へ貫通させて捲回して縫合する。このとき、共に貼着層２をも貫通することで、貼着層２の周縁付近の位置の固定を果たすものとしている。
【００３４】
（底板４）
底板４は、足型板１の下面に固設される。この底板４は、足型板１よりも厚く、足型板１と同程度かこれより一回り大きいものであることが、装着時の安定性のために好ましい。
【００３５】
底板４は、図２、図４或いは図５に示すように、足型の幅方向に沿って伸通した複数の溝部４１を有する。複数の溝部４１が足型の幅方向に沿って伸通することで、使用者の前後方向における弯曲の自由度が増すことで、足へのフィット感を保つものとしている。
【００３６】
特に本実施例の溝部４１は、図４に示すように底面視にて幅方向に沿って伸通した波型のものであり、複数個が等間隔に並進してなる（図４）。波型に伸通した溝部４１を連続的に形成することで、前後方向を軸としたねじり方向の自由度が増し、よりフィット感に優れたものとなる。
【００３７】
また、図５に示すように幅方向断面視にて溝部４１は緩やかな上方弯曲境界を形成し、溝部４１間の下方頂部が山形となる。この溝部４１間の下方頂部が接地する。
【００３８】
（カバーフィルム５）
カバーフィルム５は、各対の足型板１の貼着層２の情報を覆い、貼着層２に対して貼着及び剥離可能となっている。
【００３９】
足型板１上面の模様や印字を認識しうるよう、透明又は半透明のものであることが好ましい。
【００４０】
カバーフィルム５は、少なくとも、枠部３の膨出頂を繋いだ形状を含む大きさであって、足型板１に沿う形状のものであることが好ましい。実施例では、足型板１の形状を含み、足型板１よりも一回り大きな形状である。
【００４１】
枠部３によって、カバーフィルム５の周縁が上方へ反ることとなる。
これにより、貼着層２への塵の付着を確実に保護し、また、カバーフィルム５の張り付け又は剥がしの作業が行い易いものとなる。
【００４２】
（使用方法）
本発明の貼着式サンダルは、図７（ａ）（ｂ）に示すように、貼着層２の上面を使用者の足裏面に直接または靴下、靴を介して間接的に貼着して使用する。
【００４３】
貼着層２は弾性機能を有し、圧縮変形箇所の荷重が除かれると元の厚さに戻る。これに従って貼着層２の貼着力が消失するが、改めて載荷されて圧縮変形すると貼着力たるタック力が発現する。これにより、装着後に足から剥がした貼着式サンダルであっても、繰り返して使用することが可能である。貼着層２の上面は除荷によって弾性復帰するため、塵が付着して貼着力が低下した場合には、水等で容易に洗い流すことができる。
【００４４】
以上が本考案の主たる構成であるが、本考案は上述の実施例に限定されること無く、例えば、必要に応じてストラップ等の固定補助具を具備させるなど、本考案の趣旨を逸脱しない範囲で種々の変形、置換、組み合わせが可能である。
【図面の簡単な説明】
【００４５】
【図１】本発明の実施例１の貼着式サンダルの斜視図である。
【図２】図１に示す実施例１の貼着式サンダルの分解斜視図である。
【図３】実施例１の貼着式サンダルの平面図である。
【図４】実施例１の貼着式サンダルの底面図である。
【図５】図３に示す実施例１の貼着式サンダルのＡ−Ａ断面図である。
【図６】図３に示す実施例１の貼着式サンダルのＡ−Ａ端面の一部拡大図である。
【図７】実施例１の貼着式サンダルの使用状態例である。
【符号の説明】
【００４６】
１  足型板
１１  板本体
１２  プリント板
２  貼着層
３  枠部
３１  枠固定手段
４  底板
４１  溝部
５  カバーフィルム
【図１】
0003123889.tif 000003
【図２】
0003123889.tif 000004
【図３】
0003123889.tif 000005
【図４】
0003123889.tif 000006
【図５】
0003123889.tif 000007
【図６】
0003123889.tif 000008
【図７】
0003123889.tif 000009